(57)【要約】      （修正有）【課題】カメラが薄型の機種でありカメラ底面の面積が充分でない場合であっても、カメラに対して邪魔にならないように予め取り付ておくことで、手持ちによる通常の撮影使用状態と、簡単な操作で三脚としても使用できる簡易的なカメラスタンドの提供。【解決手段】カメラ底面２ｄの面積に略等しい面積を有するカメラ固定面３ａと、カメラを着脱自在に固定するためのカメラ固定ねじ４と、カメラ固定面の裏面側の裏面３ｂとを形成した基部部材３と、裏面３ｂの長手方向に沿う両端の近傍において収納位置と使用位置との間で回動自在に軸支されるとともに収納位置で基部部材３の前後面３ｆ、３ｒから退避され、使用位置で前後面３ｆ、３ｒに対して略直角となる回動位置に移動される一対の脚部材６、７を備える。【選択図】図２
2005275081.tif 000002
【特許請求の範囲】
【請求項１】
カメラ底面の面積に略等しい面積を有するカメラ固定面と、前記カメラ固定面に配設されるとともにカメラを着脱自在に固定するためのカメラ固定部と、前記カメラ固定面の裏面側において前記カメラ固定面と平行に形成される裏面とを形成した基部部材と、
前記裏面の長手方向に沿う両端の近傍において収納位置と使用位置との間で回動自在に軸支されるとともに前記収納位置で前記基部部材の前後面から退避され、前記使用位置で前記前後面に対して略直角となる回動位置に移動される一対の脚部材と、を備えることを特徴とするカメラスタンド。
【請求項２】
前記カメラ固定部は、前記カメラ底面の三脚固定用の固定用ねじ穴に対して螺合される固定用ねじを回動自在に備え、前記カメラ固定面は、前記カメラを着脱するときに一時的に固定するために前記カメラ底面の外周縁部を位置決めするための突起部を縁部に連続形成したことを特徴とする請求項１に記載のカメラスタンド。
【請求項３】
前記一対の脚部材は、前記使用位置で前記裏面に係止する一方の係止部を設け、前記裏面は前記一方の係止部に係止する他方の係止部を設けたことを特徴とする請求項１または２に記載のカメラスタンド。
【請求項４】
前記カメラ底面を有するカメラは、自立させることが困難な超薄型のデジタルカメラであることを特徴とする請求項１乃至３のいずれか１項に記載のカメラスタンド。
【発明の詳細な説明】
【技術分野】
【０００１】
本発明は、カメラを自立させて使用するためのカメラスタンドに関するものである。
【背景技術】
【０００２】
自動シャッター機能を用いて自分自身を撮影するためには、カメラのカメラ底面を載置面として自分の方に撮影用レンズ部を向けて撮影を行うことになる。
【０００３】
一方、撮影レンズ部を保護するための部材を設け、この部材を移動させることにより撮影レンズ部がカメラ本体内に沈胴される状態で収納されるレンズ付きフィルムカメラが提案されており、このようなカメラによれば、バッグなどにカメラを入れるときに嵩張らずかつレンズ部を保護できることになる。（特許文献１）
【特許文献１】特開平１１−０８４４６７号公報。
【発明の開示】
【発明が解決しようとする課題】
【０００４】
しかし、上記の特許文献１によれば撮影レンズを保護する部材を移動させることで撮影レンズが自動的にカメラ本体内に沈胴されて収納でき大変に便利であるが、上記のように例えばカメラ内蔵の自動シャッターを機能させて自分自身を撮影する場合において、カメラを安定して支持するためには、別途準備される三脚をカメラ下面の固定用ねじ穴を用いて取り付ける必要がある。
【０００５】
一方、近年のカメラは銀塩フィルムカメラからデジタルカメラに移行しているが、このデジタルカメラによれば撮影用レンズ部を有するカメラ前面と、シャッターを配置したカメラ上面のみを露出させることができれば、撮影を行うことができる。
【０００６】
しかしながら、例えばデジタルカメラが薄型の機種でありカメラ底面の面積が充分でない場合には、載置面積が小さくなり不安定な状態となることから三脚に固定する必要がある。しかし、上記のように三脚の取付作業は面倒である。そこで、予めカメラに一体的に取り付ておいても邪魔にならない簡易的な三脚（カメラスタンド）が求められている。
【０００７】
したがって、本発明は上記の問題点に鑑みて成されたものであり、例えばカメラが薄型の機種でありカメラ底面の面積が充分でない場合に、カメラに対して邪魔にならないように予め取り付ておくことで、通常の使用状態と、簡単な操作により三脚としても使用できる簡易的なカメラスタンドの提供を目的としている。
【課題を解決するための手段】
【０００８】
上述した課題を解決し、目的を達成するために、本発明のカメラスタンドは、カメラ底面の面積に略等しい面積を有するカメラ固定面と、前記カメラ固定面に配設されるとともにカメラを着脱自在に固定するためのカメラ固定部と、前記カメラ固定面の裏面側において前記カメラ固定面と平行に形成される裏面とを形成した基部部材と、前記裏面の長手方向に沿う両端の近傍において収納位置と使用位置との間で回動自在に軸支されるとともに前記収納位置で前記基部部材の前後面から退避され、前記使用位置で前記前後面に対して略直角となる回動位置に移動される一対の脚部材とを備えることを特徴としている。
【０００９】
また、前記カメラ固定部は、前記カメラ底面の三脚固定用の固定用ねじ穴に対して螺合される固定用ねじを回動自在に備え、前記カメラ固定面は、前記カメラを着脱するときに一時的に固定するために前記カメラ底面の外周縁部を位置決めするための突起部を縁部に連続形成したことを特徴としている。
【００１０】
また、前記一対の脚部材は、前記使用位置で前記裏面に係止する一方の係止部を設け、前記裏面は前記一方の係止部に係止する他方の係止部を設けたことを特徴としている。
【００１１】
そして、前記カメラ底面を有するカメラは、自立させることが困難な超薄型のデジタルカメラであることを特徴としている。
【発明の効果】
【００１２】
本発明のカメラスタンドによれば、例えばカメラが薄型の機種でありカメラ底面の面積が充分でない場合であっても、カメラに対して邪魔にならないように予め取り付ておくことで、手持ちによる通常の撮影使用状態と、簡単な操作で三脚としても使用できる簡易的なカメラスタンドを提供することができる。
【発明を実施するための最良の形態】
【００１３】
以下に本発明の好適な一実施形態について、添付図面を参照して説明する。
【００１４】
ここで、以下の実施形態ではカメラとして固定焦点レンズを設けた撮影用レンズ部を角部に有するカメラ前面と、液晶表示部を配置したカメラ後面と、シャッターを配置したカメラ上面とを備えた小型で超偏平な箱型のデジタルカメラに使用されるカメラスタンドについて主に述べるが、このように構成されるデジタルカメラに限定されず、撮影用レンズ部が沈胴するタイプであって撮影レンズが３倍光学ズーム系を備えるデジタルカメラまたは、銀塩フィルムカメラであって薄い機種において特に好適に適用可能であることは言うまでもない。
【００１５】
図１(ａ)は、デジタルカメラ２をカメラ前面側から見た外観斜視図であり、(ｂ)はデジタルカメラ２をカメラ後面２ｂ側から見た図である。
【００１６】
本図において、このデジタルカメラ２は固定焦点の撮影用レンズ部６０を図示のように右角部分に設けた形状部２ｋを有しており、デザイン的に特徴のあるデジタルカメラ２となっている。このデジタルカメラ２はカメラ前面２ａと、図示のような大型の液晶表示部４０と操作ダイヤル７０とを備えたカメラ後面２ｂと、シャッター５０を設けたカメラ上面２ｃと、カメラ左右面２ｅ、２ｆとを夫々設けた偏平箱状に形成されている。このため携帯性がきわめて良好になっている。また、撮影用レンズ部６０は、図示のような外周面６０ｆを設けることでカメラ前面２ａから突出形成されており、必要な焦点距離を確保している。
【００１７】
また、撮影用レンズ部６０の左側のカメラ前面２ａにはファインダー窓６１とストロボ６２とが配置されている。このように構成されるデジタルカメラ２を使用して室内で撮影する場合において、室内照明器具などによる光量が依然として不足するとファイダー内に露出アンダーの表示がされ、シャッター５０の押圧動作と同期してストロボ６２が自動発光して、被写体全体の照明を行うように構成されている。このストロボの発光が不要なときには、発光を解除する機能も備えている。
【００１８】
さらに、カメラ左面２ｅとカメラ後面２ｂの間の角部には携帯のためのストラップ９９を保持するための充分な強度を有するフック部７１が形成されている。このデジタルカメラ２は、カメラ底面２ｄの略中央に破線図示の固定用ねじ穴４９を設けており、例えば三脚に固定するために螺合される固定用ねじを用いて固定可能にしている。このカメラ底面２ｄの奥行き寸法は非常に小さいので安定して自立させることができない場合がある。
【００１９】
図２(ａ)は本発明の一実施形態であるカメラスタンド１の平面図、(ｂ)はカメラスタンド１を収納位置にした様子を示す底面図、(ｃ)はカメラスタンド１を使用位置にした様子を示す底面図、(ｄ)は(ｃ)のＸ-Ｘ線矢視断面図である。なお、(ａ)において、着脱自在に設けられるデジタルカメラ２を一点鎖線で示している。
【００２０】
本図において、このカメラスタンド１の基部部材３と、一対の脚体６、７はＡＢＳ樹脂などの光透過性の樹脂材料や所望の顔料で着色された所定樹脂材料を用いて一体的に樹脂射出成形される。またはアクリル樹脂、ポリカーボネイト樹脂などに代表される透明樹脂材料を使用いて準備され図示のように互いに組み付けることで完成される。
【００２１】
先ず、図２(ａ)を参照して、このカメラスタンド１は、図中の一点鎖線で図示したカメラ底面２ｄを有するデジタルカメラ２は、自立させることが困難な超薄型のデジタルカメラ２であって、このカメラ底面２ｄの面積に略等しい面積かそれよりやや大きい面積となる奥行寸法Ｄと幅寸法Ｗを有する平らなカメラ固定面３ａを形成している。
【００２２】
このカメラ固定面３ａの略中央にはデジタルカメラ２を着脱自在に固定するためのカメラ固定部となる固定用ねじ４が留め輪５により脱落防止、回転可能となるように設けられている。すなわちカメラ固定部は、カメラ底面２ｄの固定用ねじ穴４９に対して螺合される固定用ねじ４を回動自在に備えており、さらに図示のようにカメラ固定面３ａは、デジタルカメラ２を着脱するときに回転しないように一時的に固定するためにカメラ底面２ｄの外周縁部を位置決めするための突起部３ｋを図示のように縁部に連続形成している。
【００２３】
次に、図２(ｂ)、(ｃ)において、この基部部材３のカメラ固定面３ａの裏面側にはこのカメラ固定面３ａと平行となる裏面３ｂが形成されており、この裏面３ｂの長手方向に沿う両端の近傍において収納位置と使用位置との間で回動自在となるように軸部８で回動自在に軸支される一対の脚部材６、７を備えている。
【００２４】
この軸部８は、図２(ｃ)のＸ-Ｘ線矢視断面図である(ｄ)に図示のように基部部材３に一部が埋設されるとともに、フランジ部を一体形成しており、脚体６に形成された凹部にこのフランジ部が図示のように入ることで脱落防止を図りつつ回動軸支できるように構成されている。また、脚体６は脚体７と同様に周囲に突起部６ａ、７ａを形成しており指先が入るリセス部を一体成形している。
【００２５】
また、一対の脚部材６、７は、図２(ｃ)に示す使用位置において、裏面３ｂに係止する一方の凹状の係止部６ｋ、７ｋ（破線図示）が設けられる一方で、裏面３ｂ上には係止部６ｋ、７ｋに対して係止する他方の凸状の係止部(不図示）を設けている。また、裏面３ｂ上の突起部３ｃ、３ｃは脚体６、７の厚みと略同じかやや低い高さ寸法を有しており、各脚体６，７が図２(ｃ)に図示のように９０度以上回動することを規制している。
【００２６】
以上の構成により、一対の脚体６、７は図２(ｂ)に図示の収納位置に位置するときに基部部材３の前面３ｆと後面３ｒから奥側に退避される。また、図２(ｃ)に図示のように使用位置では前面３ｆと後面３ｒに対して略直角となる回動位置にまで指先で移動されることとなる。
【００２７】
図３(ａ)はカメラスタンド１の使用状態を示す外観斜視図、(ｂ)は使用状態を示すためにデジタルカメラ２をカメラ後面２ｂから見た外観斜視図である。
【００２８】
本図において、既に説明済みの構成部品については同様の符号を附して説明を割愛すると、例えばデジタルカメラ２が薄型の機種でありカメラ底面２ｄの面積が充分でない場合において、図示のように固定ねじ部４９にねじを固定して邪魔にならないようにカメラスタンド１を予め取り付ておき、さらに脚体６、７を上記の収納位置にセットしておくことで、手持ちによる通常の撮影使用状態にできる。
【００２９】
また、図３(ｂ)に図示のように一対の脚体６、７を使用位置に回動する簡単な操作で三脚としても使用できるようになる。このため、簡易的なカメラスタンドとして自分自身を撮影するときなどに使用できることとなる。なお、図３(ｂ)において突起部３ｋが上方まで延設されているが、この場合には衝撃からカメラを保護することも可能となる。
【００３０】
さらに、図３(ｂ)に図示の使用状態においてデジタルカメラ２を用いて撮影した写真を印刷するために、卓上に置かれたパソコンに例えばＵＳＢコードを介して接続し、その後、印刷用アプリソフトを起動し、撮影済み画像データをパソコンに送ることでパソコンに接続されたプリンタ装置から写真を出力することができる。このとき、デジタルカメラ２の液晶表示部４０を見ながら所望の写真の印刷操作を行うこととなるが、デジタルカメラ２が上記のように起立しているので例えばパソコンのディスプレイ装置上に置いて見やすくなる。
【００３１】
また、インターネットに接続したパソコンで自分自身の顔写真をデジタルカメラ２で撮影して相手側に送信する場合には、撮影用レンズ部６０を自分側に向けた状態でデジタルカメラ２の自動シャッター５０を機能させて撮影するが、このときカメラの手ぶれが発生する危険性が全く無くなる。また、パソコンを使用せずにプリンタ装置に対して直にデジタルカメラを接続して印刷を行う場合にもデジタルカメラ２を安定して保持させて使用することができる。
【００３２】
尚、本発明は上記の構成に限定されず、例えば基部部材３と脚体６、７の使用材料は樹脂材料が一般的であるが、一部を木材、金属製、貴金属製、ダンボール製としたハイブリッド構成でも良い。
【図面の簡単な説明】
【００３３】
【図１】(ａ)はデジタルカメラ２をカメラ前面側から見た外観斜視図であり、(ｂ)はデジタルカメラ２をカメラ後面２ｂ側から見た図である。
【図２】(ａ)は本発明の一実施形態であるカメラスタンド１の平面図、(ｂ)はカメラスタンド１を収納位置にした様子を示す底面図、(ｃ)はカメラスタンド１を使用位置にした様子を示す底面図、(ｄ)は(ｃ)のＸ-Ｘ線矢視断面図である。
【図３】(ａ)はカメラスタンド１の使用状態を示す外観斜視図、(ｂ)は使用状態を示すためにデジタルカメラ２をカメラ後面２ｂから見た外観斜視図である。
【符号の説明】
【００３４】
１  カメラスタンド
２  デジタルカメラ
３  基部部材
６、７  一対の脚体
【図１】
2005275081.tif 000003
【図２】
2005275081.tif 000004
【図３】
2005275081.tif 000005